(57)【要約】      （修正有）【課題】流体を流動させた状態のままで流体に放射線を照射することができる放射線照射装置を提供すること。【解決手段】本発明では、流体に放射線を照射するための放射線照射装置１において、流体が流動する流路に本体５を介設し、本体５の内部に流体を流動させるための流動管１２〜１５を配置するとともに、本体５と流動管１２〜１５との間に放射線を放射する物質２０を充填することにした。これにより、本発明では、流動管１２〜１５の内部を流動する流体に向けて物質２０から放射線を照射することができる。また、本発明では、断面が多角形の流動管１２〜１５を用いることにした。さらに、本発明では、複数種類の断面形状が異なる流動管１２〜１５を用いることにした。これにより、本発明では、流動する流体に向けて様々な方向から放射線を照射することができる。【選択図】図３
2020060412.tif 000002
【特許請求の範囲】
【請求項１】
流体に放射線を照射するための放射線照射装置において、
流体が流動する流路に本体を介設し、本体の内部に流体を流動させるための流動管を配置するとともに、本体と流動管との間に放射線を放射する物質を充填したことを特徴とする放射線照射装置。
【請求項２】
断面が多角形の流動管を用いたことを特徴とする請求項１に記載の放射線照射装置。
【請求項３】
複数種類の断面形状が異なる流動管を用いたことを特徴とする請求項１又は請求項２に記載の放射線照射装置。
【発明の詳細な説明】
【技術分野】
【０００１】
本発明は、流体に放射線を照射するための放射線照射装置に関するものである。
【背景技術】
【０００２】
従来より、放射線は、物質を透過する性質を有することから、Ｘ線撮影等の医療分野や非破壊検査等の工業分野などにおいて広く利用されているが、これに限られず、放射線は、殺菌作用を有することから、食品や輸血用血液の殺菌などにも利用され、さらには、化学反応を促進させる性質を有することから、高分子有機材料の分子鎖間での架橋や切断などにも利用されている（たとえば、特許文献１参照。）。
【０００３】
そして、放射線を利用した技術においては、食品や輸血用血液や高分子有機材料などの流体に放射線を照射させるために放射線照射装置が用いられている。
【先行技術文献】
【特許文献】
【０００４】
【特許文献１】特開２０１４−８５３３６号公報
【発明の概要】
【発明が解決しようとする課題】
【０００５】
上記従来の放射線照射装置では、食品や輸血用血液や高分子有機材料などの流体に放射線を照射する際に、流体をタンクに貯留した状態でタンクの周囲から放射線を照射することができる。
【０００６】
しかしながら、流体をタンクに貯留した状態では、流体が固化してしまったり硬化してしまうおそれがある。
【０００７】
そのため、放射線照射装置においては、流体を流動させた状態で流体に向けて放射線を照射することができる装置の開発が望まれている。
【課題を解決するための手段】
【０００８】
そこで、請求項１に係る本発明では、流体に放射線を照射するための放射線照射装置において、流体が流動する流路に本体を介設し、本体の内部に流体を流動させるための流動管を配置するとともに、本体と流動管との間に放射線を放射する物質を充填することにした。
【０００９】
また、請求項２に係る本発明では、前記請求項１に係る本発明において、断面が多角形の流動管を用いることにした。
【００１０】
また、請求項３に係る本発明では、前記請求項１又は請求項２に係る本発明において、複数種類の断面形状が異なる流動管を用いることにした。
【発明の効果】
【００１１】
そして、本発明では、以下に記載する効果を奏する。
【００１２】
すなわち、本発明では、流体に放射線を照射するための放射線照射装置において、流体が流動する流路に本体を介設し、本体の内部に流体を流動させるための流動管を配置するとともに、本体と流動管との間に放射線を放射する物質を充填することにしているために、流体を流動させた状態のまま流体に放射線を照射することができる。
【００１３】
特に、断面が多角形の流動管を用いた場合や、さらに、複数種類の断面形状が異なる流動管を用いた場合には、流動する流体に向けて同時に様々な方向から放射線を照射することができる。
【図面の簡単な説明】
【００１４】
【図１】本発明に係る放射線照射装置を示す説明図。
【図２】同側面断面図。
【図３】同正面断面図。
【図４】同拡大説明図。
【発明を実施するための形態】
【００１５】
以下に、本発明に係る放射線照射装置の具体的な構成について図面を参照しながら説明する。
【００１６】
図１に示すように、放射線照射装置１は、放射線を照射する対象物となる流体を流動させるための流動装置２に組み込まれて使用される。放射線を照射する対象物となる流体は、液体や気体などのように流動する物質であればよく、軟質な固体や、粉末状の物質を含有する流体又は気体などであってもよい。
【００１７】
流動装置２は、流体を流動させることができる構造であればよく、ここでは、流体を貯留するタンク３の下部と上部との間に循環する閉ループ状の流路４を接続し、流路４の中途部にポンプＰを設けている。
【００１８】
これにより、流動装置２は、ポンプＰを駆動することで、流体をタンク３と流路４との間で連続して循環させ、流路４の内部で流体を流動させることができる。
【００１９】
放射線照射装置１は、図１〜図４に示すように、流体が流動する流路４の中途部に介設されている。
【００２０】
この放射線照射装置１は、同一円形断面積を有する中空円筒状の本体５を拡径継手6,7を介して流路４に接続している。
【００２１】
本体５は、流動する流体の上流側から下流側へ向けて前後方向に伸延させ、上流側の前端開口に円板状の蓋体８が着脱自在に取付けられ、下流側の後端開口に円板状の蓋体９が着脱自在に取付けられている。
【００２２】
前後の蓋体8,9には、複数種類（ここでは、２種類）の多角形（ここでは、五角形と六角形）の複数個（ここでは、４個）の貫通孔10,11を形成しており、前後の蓋体8,9の貫通孔10,11の間に、各貫通孔10,11の断面形状と同一形状の中空状の流動管12〜15を前後に伸延させた状態で架設している。
【００２３】
ここで、流動管12は、断面形状が半径r1の円S1に内接する正六角形となっており、角16を最上部に位置させている。流動管13は、断面形状が半径r2の円S2に内接する正五角形となっており、辺17を最上部に位置させている。流動管14は、断面形状が半径r3の円S3に内接する正六角形となっており、辺18を最上部に位置させている。流動管15は、断面形状が半径r4の円S4に内接する正五角形となっており、角19を最上部に位置させている。なお、半径は、r1<r2<r3<r4としている。
【００２４】
このように、放射線照射装置１は、複数種類（ここでは、２種類）の多角形（ここでは、五角形と六角形）の複数個（ここでは、４個）の流動管12〜15を用いている。しかも、各流動管12〜15の断面積が異なるようにしている。特に、同一断面形状の流動管12,14（13,15）同士は、断面積が異なるだけでなく、円周方向の向きも異ならせている。また、奇数の辺からなる奇数多角形（ここでは、正五角形（奇数正多角形））と偶数の辺からなる偶数多角形（ここでは、正六角形（偶数正多角形））の断面形状を有する流動管12〜15を用いている。
【００２５】
また、放射線照射装置１は、流動管12〜15の合計断面積が流路４の断面積よりも大きくなるようにして、流路４を流動する流体の速度が流動管12〜15の内部で遅くなるようにしている。
【００２６】
本体５と蓋体8,9と流動管12〜15の間には、空間が形成されており、その空間には、放射線を放射する物質20が充填されている。物質20は、放射線を放射することができればよく、用途に応じて放射する放射線が異なる物質20を適宜選択して使用することができる。物質20は、蓋体8,9を外して交換することができるようになっている。なお、本体５と蓋体8,9は、物質20から放射される放射線が透過しない性質の部材で形成されており、流動管12〜15は、物質20から放射される放射線が透過する性質の部材で形成している。
【００２７】
放射線照射装置１は、以上に説明したように構成しており、流動装置２にポンプＰを駆動することで流体が流路４を流動し、流体が放射線照射装置１の流動管12〜15の内部を流動する。その際に、物質20から放射された放射線が流体に照射される。ここで、奇数多角形の断面形状の流動管13,15では、全ての辺から異なる角度で流体に放射線を照射することができ、偶数多角形の断面形状の流動管12,14では、対向する辺から対向する向きで同時に流体に放射線を照射することができる。なお、物質20から放射される放射線の性質などによっては流体を放射化させることもできる。
【００２８】
以上に説明したように、上記放射線照射装置１は、流体が流動する流路４に本体５を介設し、本体５の内部に流体を流動させるための流動管12〜15を配置するとともに、本体５と流動管12〜15との間に放射線を放射する物質20を充填した構成となっている。
【００２９】
そのため、上記構成の放射線照射装置１では、流体を流動させた状態のまま流体に放射線を照射することができる。
【００３０】
また、上記放射線照射装置１は、断面が多角形の流動管12〜15を用いており、複数種類の断面形状が異なる流動管12〜15を用いた構成となっている。
【００３１】
そのため、上記構成の放射線照射装置１では、流動する流体に向けて同時に様々な方向から放射線を照射することができる。
【符号の説明】
【００３２】
１  放射線照射装置              ２  流動装置
３  タンク                      ４  流路
５  本体                        6,7  拡径継手
8,9  蓋体                       10,11  貫通孔
12〜15  流動管                  16,19  角
17,18  辺                       20  物質
Ｐ  ポンプ                      S1〜S4  円
【図１】
2020060412.tif 000003
【図２】
2020060412.tif 000004
【図３】
2020060412.tif 000005
【図４】
2020060412.tif 000006